(57)【特許請求の範囲】
【請求項１】
雄側ハウジングから先方へフード部を突出させた雄側コネクタと、雌側ハウジングを包囲するように筒形嵌合部を形成した雌側コネクタとからなり、前記フード部を前記雌側ハウジングと前記筒形嵌合部の間に嵌入させることで前記雄雌両コネクタが嵌合されるようになっているとともに、前記筒形嵌合部には、その外面側から前記雌側ハウジング内にリテーナを組み付けるためのリテーナ取付孔が開口されているコネクタにおいて、
前記フード部の外周先端縁には、前記雄雌両コネクタの嵌合方向と平行な軸線を中心とする弧状縁部が設けられ、
前記筒形嵌合部の内周には、前記雄雌両コネクタの嵌合方向と平行な軸線を中心とし且つ前記弧状縁部と対応する弧状面が設けられ、
前記リテーナ取付孔が、少なくともその一部を前記弧状面に開口させるように配され、
前記リテーナ取付孔における前記弧状面に沿った孔縁には、前記弧状面と同心の螺旋方向に延び、前記筒形嵌合部に対して斜めに嵌合された前記フード部の前記弧状縁部の当接を可能としたガイド部が形成されていることを特徴とするコネクタ。
【請求項２】
前記リテーナ取付孔には、前記雄雌両コネクタの嵌合方向と略平行で且つ前記ガイド部に連なる孔縁部が設けられており、その孔縁部と前記ガイド部とは弧状の連絡部によって滑らかに連続していることを特徴とする請求項１記載のコネクタ。
【発明の詳細な説明】
【０００１】
【発明の属する技術分野】
本発明は、コネクタに関するものである。
【０００２】
【従来の技術】
従来、コネクタとして、図１２に示すものがある。これは、ハウジング２から先方へフード部３を突出させた雄側コネクタ１と、ハウジング５を包囲するように筒形嵌合部６を形成した雌側コネクタ４とからなり、フード部３を雌側のハウジング２と筒形嵌合部６の間に嵌入させることで両コネクタ１，４を嵌合させるようになっている。また、雌側の筒形嵌合部６にはリテーナ取付孔７が設けられ、このリテーナ取付孔７を通してサイドリテーナ８をハウジング５内に組み付けるようになっている。
【０００３】
【発明が解決しようとする課題】
上記のように筒形嵌合部６にリテーナ取付孔７を空けたコネクタ４の場合、筒形嵌合部６に対してフード部３が傾いた状態で嵌入すると、そのフード部３の先端外周縁３Ａが、リテーナ取付孔７の開口縁に突き当たり、嵌合動作に支障を来す虞があった。
本願発明は上記事情に鑑みて創案され、筒形嵌合部のリテーナ取付孔の開口縁に対するフード部の突き当たりを回避することを目的としている。
【０００４】
【課題を解決するための手段】
請求項１の発明は、雄側ハウジングから先方へフード部を突出させた雄側コネクタと、雌側ハウジングを包囲するように筒形嵌合部を形成した雌側コネクタとからなり、前記フード部を前記雌側ハウジングと前記筒形嵌合部の間に嵌入させることで前記雄雌両コネクタが嵌合されるようになっているとともに、前記筒形嵌合部には、その外面側から前記雌側ハウジング内にリテーナを組み付けるためのリテーナ取付孔が開口されているコネクタにおいて、前記フード部の外周先端縁には、前記雄雌両コネクタの嵌合方向と平行な軸線を中心とする弧状縁部が設けられ、前記筒形嵌合部の内周には、前記雄雌両コネクタの嵌合方向と平行な軸線を中心とし且つ前記弧状縁部と対応する弧状面が設けられ、前記リテーナ取付孔が、少なくともその一部を前記弧状面に開口させるように配され、前記リテーナ取付孔における前記弧状面に沿った孔縁には、前記弧状面と同心の螺旋方向に延び、前記筒形嵌合部に対して斜めに嵌合された前記フード部の前記弧状縁部の当接を可能としたガイド部が形成されている構成とした。
【０００５】
請求項２の発明は、請求項１の発明において、前記リテーナ取付孔には、前記雄雌両コネクタの嵌合方向と略平行で且つ前記ガイド部に連なる孔縁部が設けられており、その孔縁部と前記ガイド部とは弧状の連絡部によって滑らかに連続している構成とした。
【０００６】
【発明の作用及び効果】
［請求項１の発明］
雄雌両コネクタが斜めに嵌合すると、フード部の外周先端縁の弧状縁部がリテーナ取付孔のガイド部に当接するが、このガイド部は、嵌合方向と平行な軸線を中心とする螺旋方向に延びているので、フード部の弧状縁部がガイド部に対して斜めに且つ点接触状に当接することになる。これにより、フード部は、引っ掛かりや突き当たりを生じることなく筒形嵌合部への嵌合を円滑に進めることができるとともに、嵌合が進むのに伴って姿勢を矯正される。
【０００７】
［請求項２の発明］
斜め嵌合されたフード部の先端の弧状縁部が、リテーナ取付孔における嵌合方向と平行な孔縁部に当接する状態を経てガイド部に当接する状態に移行する際に、弧状の連絡部によって引っ掛かりを生じることなく円滑に移行することができる。
【０００８】
【発明の実施の形態】
［実施形態１］
以下、本発明を具体化した実施形態１を図１乃至図８を参照して説明する。
本実施形態のコネクタは、互いに正面同士を突き合わせるようにして嵌合される雄側コネクタ１０と雌側コネクタ２０からなる。
【０００９】
雄側コネクタ１０は、雄側ハウジング１１から前方へフード部１２を突出させるとともに、雄側ハウジング１１に取り付けた雄端子金具１４をフード部１２内に突出させたものである。フード部１２の上下両壁部１２Ａ，１２Ｂは左右方向に長い平坦状をなし、フード部１２の正面に向かって左側の壁部１２Ｌ（フード部１２自身の右側の壁部）は壁厚が一定の半円弧状をなし、正面に向かって右側の壁部１２Ｒの外面は上下方向の平坦状をなすとともに内面は半円弧状をなす。フード部１２の半円弧状をなす左側の壁部１２Ｌにおける外周先端縁は、雄雌両コネクタ１０，２０の嵌合方向（前後方向）と平行であってその壁部１２Ｌの半円弧の軸線を中心とする弧状縁部１３となっている。
【００１０】
雌側コネクタ２０は、雌端子金具（図示せず）収容するためのキャビティ２２を有する雌側ハウジング２１と、この雌側ハウジング２１を包囲するような筒形嵌合部２３とを備えており、フード部１２を雌側ハウジング２１と筒形嵌合部２３の間に嵌入させることで雄側コネクタ１０と嵌合するようになっている。
雌側ハウジング２１の正面形状はフード部１２の内周面と相似形の長円形をなし、雌側ハウジング２１には、その正面に向かって右側（雌側ハウジング２１自身の左側）の半円弧状の外周面に開口するとともにキャビティ２２に連通するリテーナ収容部２４が形成されている。このリテーナ収容部２４には後述する筒形嵌合部２３のリテーナ取付孔２７からリテーナ２９が収容される。このリテーナ２９の雌側ハウジング２１に対する組付け方向は雄雌両コネクタ１０，２０の嵌合方向と直交する方向である。リテーナが図２に示す仮係止位置にある状態では、キャビティ２２に対する雌端子金具（図示せず）の挿入、脱抜が許容され、リテーナが図３に示す本係止位置に押し込むと、挿入された雌端子金具が抜け規制状態となる。また、雌側ハウジング２１の外周におけるリテーナ収容部２４の後方には、雌側ハウジング２１の外周とフード部１２の内周との間をシールするためのシールリング２５が外装されている。
【００１１】
筒形嵌合部２３の内周のうち、筒形嵌合部２３の正面に向かって右側の内周面（筒形嵌合部２３自身の左側の内周面であって、フード部１２の弧状縁部１３と対応する側の内周面）には、雄雌両コネクタ１０，２０の嵌合方向と平行な軸線を中心とし且つフード部１２の弧状縁部１３と相似形であって弧状縁部１３よりも僅かに大径の弧状面２６とされている。この弧状面２６は、筒形嵌合部２３の内周における下面領域から約６０°の角度範囲に亘って形成されており、この弧状面２６よりも上方の内周領域は外側へ退避した形態となっている。
【００１２】
また、筒形嵌合部２３には、雌側ハウジング２１のリテーナ収容部２４にリテーナ２９を組み付けるためのリテーナ取付孔２７が形成されている。リテーナ取付孔２７は、その下端部を弧状面２６に開口させるように配されているとともに筒形嵌合部２３の内周側から外周側へ貫通する形態で形成されている。筒形嵌合部２３を側方（雄雌両コネクタ１０，２０の嵌合方向と直交する方向）から視たときのリテーナ取付孔２７の開口形状は、その上縁部２７Ａと下縁部２７Ｂ（本発明の構成要件である雄雌両コネクタ１０，２０の嵌合方向と略平行で且つガイド部２７Ｇに連なる孔縁部）が嵌合方向と平行な直線状をなすとともに、前縁部２７Ｆと後縁部２７Ｒが嵌合方向と直交する直線状をなし、下縁部２７Ｂの後端と後縁部２７Ｒの下端との間は、嵌合方向に対して斜め方向の傾斜縁部２７Ｓとなっている。そして、この傾斜縁部２７Ｓにおける弧状面２６に沿った孔縁は、弧状面２６と同心の螺旋方向に延びるガイド部２７Ｇとなっている。尚、下縁部２７Ｂにおける弧状面２６側の孔縁とガイド部２７Ｇとは、側方から視て弧状をなす連絡部２７Ｃによって滑らかに連続している。
【００１３】
次に、本実施形態の作用を説明する。
筒形嵌合部２３に対し、フード部１２がその弧状縁部１３をリテーナ取付孔２７側へ向けるように傾いた姿勢で嵌合されると、まず、フード部１２の先端外周の弧状縁部１３が、リテーナ取付孔２７の弧状面２６における下縁部２７Ｂに対して点接触状態で摺接し、その後、図６〜図８の各（Ａ）に示すように、弧状縁部１３がガイド部２７Ｇに到達し、その後、このガイド部２７Ｇ上を摺接するようになる。このとき、ガイド部２７Ｇは、雄雌両コネクタ１０，２０の嵌合方向と平行な軸線を中心とする螺旋方向に延びているので、フード部１２の弧状縁部１３がガイド部２７Ｇに対して斜めに且つ点接触状に当接することになる。尚、この点接触位置Ｐは、弧状縁部１３における比較的下端に近い位置であると同時に、ガイド部２７Ｇにおける最下端位置となっている。
【００１４】
この状態から筒形嵌合部２３に対するフード部１２の嵌合が進むと、上記の点接触状態を維持しつつ、図６〜図８の各（Ｂ）に示す状態に至る。この状態では、筒形嵌合部２３に対するフード部１２の姿勢の傾きが少し矯正され、また、点接触位置Ｐは、上記（Ａ）の点接触位置よりも上方に変移した位置となっている。
この状態から更に嵌合が進むと、点接触状態を維持したままでその点接触位置Ｐが上方へ変移しつつ、筒形嵌合部２３に対するフード部１２の姿勢がさらに矯正される。そして、点接触位置Ｐがガイド部２７Ｇの上端に達すると、フード部１２の姿勢の傾きがほとんどなくなり、その後は、フード部１２の弧状縁部１３が、ガイド部２７Ｇから外れてガイド部２７Ｇよりも嵌合方向先方の弧状面２６に摺接するようになる。
【００１５】
ここで、フード部１２の弧状縁部１３がガイド部２７Ｇから弧状面２６に移行する際には、フード部１２の姿勢が筒形嵌合部２３に対して正対する状態（双方の軸線が互いに平行となる状態）になっており、しかも、ガイド部２７Ｇは螺旋状をなしているので、弧状縁部１３は引っ掛かりを生じることなくガイド部２７Ｇから離脱することができるのであり、離脱後は、図６〜図８の各（Ｃ）に示す状態となる。
【００１６】
上述のように本実施形態によれば、フード部１２は、リテーナ取付孔２７の開口縁に対して引っ掛かりや突き当たりを生じることなく、筒形嵌合部２３への嵌合を円滑に進めることができる。
また、リテーナ取付孔２７における雄雌両コネクタ１０，２０の嵌合方向と略平行な下縁部２７Ｂとガイド部２７Ｇとは、弧状の連絡部２７Ｃによって滑らかに連続しているので、斜め嵌合されたフード部１２の先端の弧状縁部１３が、リテーナ取付孔２７の下縁部２７Ｂに摺接する状態を経てガイド部２７Ｇに当接する状態に移行する際には、その移行動作が、弧状の連絡部２７Ｃによって引っ掛かりを生じることなく円滑に行われる。
【００１７】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、リテーナ取付孔の側方から視た開口形状が全体として概ね方形をなすとともに、その４つの角部のうちの１つの角部をテーパ状とすることによってガイド部を形成したが、本発明によれば、図９に示すリテーナ取付孔３１のように、嵌合方向と平行な下縁を全長に亘ってテーパ状とすることによりガイド部３２としてもよく、図１０に示すリテーナ取付孔３３のように、嵌合方向と直交する後縁をテーパ状とすることによりガイド部３４としてもよく、図１１に示すリテーナ取付孔３５のように全体として直角三角形としてそのテーパ状の孔縁をガイド部３６としてもよい。
【００１８】
（２）上記実施形態では防水タイプのコネクタについて説明したが、本発明は非防水タイプのコネクタにも適用することができる。
【図面の簡単な説明】
【図１】実施形態１において両コネクタを離脱した状態を示す水平断面図
【図２】雌側コネクタの正面図
【図３】雌側コネクタの横断面図
【図４】雌側コネクタの縦断面図
【図５】雌側コネクタの側面図
【図６】フード部と筒形嵌合部の摺接状態の変移を示す部分横断面図
【図７】フード部と筒形嵌合部の摺接状態の変移を示す部分側面図
【図８】フード部と筒形嵌合部の摺接状態の変移を示す部分水平断面図
【図９】リテーナ取付孔の開口形状及びガイド部の変形例を示す部分側面図
【図１０】リテーナ取付孔の開口形状及びガイド部の変形例を示す部分側面図
【図１１】リテーナ取付孔の開口形状及びガイド部の変形例を示す部分側面図
【図１２】従来例の断面図
【符号の説明】
１０…雄側コネクタ
１１…雄側ハウジング
１２…フード部
１３…弧状縁部
２０…雌側コネクタ
２１…雌側ハウジング
２３…筒形嵌合部
２６…弧状面
２７…リテーナ取付孔
２７Ｂ…下縁部（リテーナ取付孔のガイド部に連なる孔縁部）
２７Ｃ…連絡部
２７Ｇ…ガイド部
２９…リテーナ
３１，３３，３５…リテーナ取付孔
３２，３４，３６…ガイド部
【図１】
0003555556.tif 000002
【図２】
0003555556.tif 000003
【図３】
0003555556.tif 000004
【図４】
0003555556.tif 000005
【図５】
0003555556.tif 000006
【図６】
0003555556.tif 000007
【図７】
0003555556.tif 000008
【図８】
0003555556.tif 000009
【図９】
0003555556.tif 000010
【図１０】
0003555556.tif 000011
【図１１】
0003555556.tif 000012
【図１２】
0003555556.tif 000013